【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
複数の画像データについて複数のフォルダに分けてファイリングを行う画像ファイリング方法であって、
フォルダ内に含まれる画像を代表する複数の画像を選択して組み合わせた概要画像を生成し、
この概要画像をフォルダ内にファイリングする、
ことを特徴とする画像ファイリング方法。
【請求項２】
複数の画像データについて複数のフォルダに分けてファイリングを行う画像ファイリング方法であって、
フォルダ内に含まれる画像を代表する複数の画像を選択して組み合わせた概要画像を生成し、
前記概要画像を表示する、
ことを特徴とする画像ファイリング方法。
【請求項３】
複数の画像データについて複数のフォルダに分けてファイリングを行う画像ファイリング方法であって、
前記ファイリングされた複数の画像を読み出すフォルダが指定された際に、フォルダ内に含まれる画像を代表する複数の画像を選択して組み合わせることにより概要画像を生成する、
ことを特徴とする画像ファイリング方法。
【請求項４】
前記概要画像を表示する、
ことを特徴とする請求項３記載の画像ファイリング方法。
【請求項５】
フォルダ内に含まれる各画像の特徴を参照して前記選択を行う、
ことを特徴とする請求項１乃至請求項４のいずれかに記載の画像ファイリング方法。
【請求項６】
前記画像の特徴として、色分布、形状、周波数特性、文章領域の有無、またはコマ順番の少なくとも一つを用いる、
ことを特徴とする請求項５記載の画像ファイリング方法。
【請求項７】
前記画像の選択に関し、肌色成分を多く含むものを少なくとも一つ優先する、
ことを特徴とする請求項５記載の画像ファイリング方法。
【請求項８】
前記画像の選択に関し、彩度の高い色成分を多く含むものを少なくとも一つ優先する、
ことを特徴とする請求項５記載の画像ファイリング方法。
【請求項９】
前記画像の選択に関し、文章領域を含むものを少なくとも一つ優先する、
ことを特徴とする請求項５記載の画像ファイリング方法。
【請求項１０】
前記画像の選択に関し、画像の特性が類似するものをグループ化し、
各グループ内から一つの画像を選択する、
ことを特徴とする請求項５記載の画像ファイリング方法。
【請求項１１】
複数の画像データについて複数のフォルダに分けてファイリングを行う画像ファイリング方法であって、
フォルダ内に含まれる画像データに付加された付加情報を参照し、
フォルダ内に含まれる画像を代表する複数の画像を選択し、
選択された画像を組み合わせた概要画像を生成し、
この概要画像をファイリングまたは表示する、
ことを特徴とする画像ファイリング方法。
【請求項１２】
前記付加情報は画像の撮影日または撮影時刻である、
ことを特徴とする請求項１１記載の画像ファイリング方法。
【請求項１３】
前記付加情報を参照した選択では、撮影日または撮影時刻が離れたものを優先する、
ことを特徴とする請求項１２記載の画像ファイリング方法。
【請求項１４】
前記付加情報は撮影の際のシャッタ速度である、
ことを特徴とする請求項１１記載の画像ファイリング方法。
【請求項１５】
前記付加情報は位置情報である、
ことを特徴とする請求項１１記載の画像ファイリング方法。
【請求項１６】
前記付加情報は、被写体までの距離である、
ことを特徴とする請求項１１記載の画像ファイリング方法。
【請求項１７】
前記選択された画像をトリミングした後に組み合わせて概要画像を生成する、
ことを特徴とする請求項１乃至請求項１６のいずれかに記載の画像ファイリング方法。
【請求項１８】
フォルダ内の画像数に応じて、概要画像に含まれる画像の枚数を変える、
ことを特徴とする請求項１乃至請求項１７のいずれかに記載の画像ファイリング方法。
【請求項１９】
複数の画像データについて複数のフォルダに分けて記憶手段にファイリングを行う画像ファイリング装置であって、
フォルダ内に含まれる画像を代表する複数の画像を選択して組み合わせることにより概要画像を生成する概要画像生成手段と、
前記概要画像をフォルダ内にファイリングする制御手段と、
を備えたことを特徴とする画像ファイリング装置。
【請求項２０】
複数の画像データについて複数のフォルダに分けて記憶手段にファイリングを行う画像ファイリング装置であって、
フォルダ内に含まれる画像を代表する複数の画像を選択して組み合わせることにより概要画像を生成する概要画像生成手段と、
前記概要画像を表示する表示手段と、
を備えたことを特徴とする画像ファイリング装置。
【請求項２１】
複数の画像データについて複数のフォルダに分けて記憶手段にファイリングを行う画像ファイリング装置であって、
前記記憶手段にファイリングされた複数の画像を読み出すフォルダが指定された際に、フォルダ内に含まれる画像を代表する複数の画像を選択して組み合わせることにより概要画像を生成する概要画像生成手段を備えたことを特徴とする画像ファイリング装置。
【請求項２２】
前記概要画像を表示する表示手段を更に備えた、
ことを特徴とする請求項２１記載の画像ファイリング装置。
【請求項２３】
前記概要画像生成手段は、フォルダ内に含まれる各画像の特徴を参照して前記選択を行う、
ことを特徴とする請求項１９乃至請求項２２のいずれかに記載の画像ファイリング装置。
【請求項２４】
前記概要画像生成手段は、色分布、形状、周波数特性、文章領域の有無、またはコマ順番の少なくとも一つを画像の特徴として参照する、
ことを特徴とする請求項２３記載の画像ファイリング装置。
【請求項２５】
前記概要画像生成手段は、肌色成分を多く含むものを少なくとも一つ優先して前記画像の選択を行う、
ことを特徴とする請求項２３記載の画像ファイリング装置。
【請求項２６】
前記概要画像生成手段は、彩度の高い色成分を多く含むものを少なくとも一つ優先して前記画像の選択を行う、
ことを特徴とする請求項２３記載の画像ファイリング装置。
【請求項２７】
前記概要画像生成手段は、文章領域を含むものを少なくとも一つ優先して前記画像の選択を行う、
ことを特徴とする請求項２３記載の画像ファイリング装置。
【請求項２８】
前記概要画像生成手段は、画像の特性が類似するものをグループ化し、
各グループ内から一つの画像を選択する、
ことを特徴とする請求項２３記載の画像ファイリング装置。
【請求項２９】
複数の画像データについて複数のフォルダに分けて記憶手段にファイリングを行う画像ファイリング装置であって、
フォルダ内に含まれる画像データに付加された付加情報を参照し、フォルダ内に含まれる画像を代表する複数の画像を選択して組み合わせることにより概要画像を生成する概要画像生成手段と、
前記概要画像の生成を制御する制御手段と、
を備えたことを特徴とする画像ファイリング装置。
【請求項３０】
前記概要画像を表示する表示手段を更に備えた、
ことを特徴とする請求項２９記載の画像ファイリング装置。
【請求項３１】
前記概要画像生成手段は、画像の撮影日または撮影時刻を前記付加情報として参照する、
ことを特徴とする請求項２９または請求項３０に記載の画像ファイリング装置。
【請求項３２】
前記概要画像生成手段は、撮影日または撮影時刻が離れたものを優先して前記画像の選択を行う、
ことを特徴とする請求項３１記載の画像ファイリング装置。
【請求項３３】
前記概要画像生成手段は、前記付加情報として撮影の際のシャッタ速度を参照して前記画像の選択を行う、
ことを特徴とする請求項２９または請求項３０に記載の画像ファイリング装置。
【請求項３４】
前記概要画像生成手段は、前記付加情報として位置情報を参照して前記画像の選択を行う、
ことを特徴とする請求項２９または請求項３０に記載の画像ファイリング装置。
【請求項３５】
前記概要画像生成手段は、前記付加情報として被写体までの距離を参照して前記画像の選択を行う、
ことを特徴とする請求項２９または請求項３０に記載の画像ファイリング装置。
【請求項３６】
前記概要画像生成手段は、前記選択された画像をトリミングした後に組み合わせて概要画像を生成する、
ことを特徴とする請求項１９乃至請求項３５のいずれかに記載の画像ファイリング装置。
【請求項３７】
前記概要画像生成手段は、フォルダ内の画像数に応じて、概要画像に含まれる画像の枚数を変える、
ことを特徴とする請求項１９乃至請求項３６のいずれかに記載の画像ファイリング装置。
【手続補正２】
【補正対象書類名】明細書
【補正対象項目名】００１０
【補正方法】変更
【補正の内容】
【００１０】
また、請求項１９記載の発明は、複数の画像データについて複数のフォルダに分けて記憶手段にファイリングを行う画像ファイリング装置であって、フォルダ内に含まれる画像を代表する複数の画像を選択して組み合わせることにより概要画像を生成する概要画像生成手段と、前記概要画像をフォルダ内にファイリングする制御手段と、を備えたことを特徴とする画像ファイリング装置である。
【手続補正３】
【補正対象書類名】明細書
【補正対象項目名】００１４
【補正方法】変更
【補正の内容】
【００１４】
（２）請求項２記載の発明は、複数の画像データについて複数のフォルダに分けてファイリングを行う画像ファイリング方法であって、フォルダ内に含まれる画像を代表する複数の画像を選択して組み合わせた概要画像を生成し、前記概要画像を表示する、ことを特徴とする画像ファイリング方法である。
また、請求項２０記載の発明は、複数の画像データについて複数のフォルダに分けて記憶手段にファイリングを行う画像ファイリング装置であって、フォルダ内に含まれる画像を代表する複数の画像を選択して組み合わせることにより概要画像を生成する概要画像生成手段と、前記概要画像を表示する表示手段と、を備えたことを特徴とする画像ファイリング装置である。
これらの発明では、複数の画像をフォルダ内にファイリングする際に、該フォルダ内に含まれる画像を代表する複数の画像を選択して組み合わせた概要画像を生成し、この概要画像を表示する。
このような概要画像の表示により、選択する複数の画像が互いに異なったものとなるように決定でき、十分特徴のある画像を概要画像に含めることが可能になる。したがって、所望の画像を検索する時には、この概要画像を参照することによりフォルダ内の画像の内容を判断することができるため、フォルダ内の画像の一覧表示やキーワード表示を行わずに、フォルダ内の画像を把握することが可能になる。
（３）請求項３記載の発明は、複数の画像データについて複数のフォルダに分けてファイリングを行う画像ファイリング方法であって、前記ファイリングされた複数の画像を読み出すフォルダが指定された際に、フォルダ内に含まれる画像を代表する複数の画像を選択して組み合わせることにより概要画像を生成する、ことを特徴とする画像ファイリング方法である。
【手続補正４】
【補正対象書類名】明細書
【補正対象項目名】００１５
【補正方法】変更
【補正の内容】
【００１５】
また、請求項２１記載の発明は、複数の画像データについて複数のフォルダに分けて記憶手段にファイリングを行う画像ファイリング装置であって、前記記憶手段にファイリングされた複数の画像を読み出すフォルダが指定された際に、フォルダ内に含まれる画像を代表する複数の画像を選択して組み合わせることにより概要画像を生成する概要画像生成手段を備えたことを特徴とする画像ファイリング装置である。
（４）請求項４記載の発明は、前記概要画像を表示する、ことを特徴とする請求項３記載の画像ファイリング方法である。
また、請求項２２記載の発明は、前記概要画像を表示する表示手段を更に備えた、ことを特徴とする請求項２１記載の画像ファイリング装置である。
【手続補正５】
【補正対象書類名】明細書
【補正対象項目名】００１９
【補正方法】変更
【補正の内容】
【００１９】
（５）請求項５記載の発明は、フォルダ内に含まれる各画像の特徴を参照して前記選択を行う、ことを特徴とする請求項１乃至請求項４のいずれかに記載の画像ファイリング方法である。
【手続補正６】
【補正対象書類名】明細書
【補正対象項目名】００２０
【補正方法】変更
【補正の内容】
【００２０】
また、請求項２３記載の発明は、前記概要画像生成手段は、フォルダ内に含まれる各画像の特徴を参照して前記選択を行う、ことを特徴とする請求項１９乃至請求項２２のいずれかに記載の画像ファイリング装置である。
【手続補正７】
【補正対象書類名】明細書
【補正対象項目名】００２４
【補正方法】変更
【補正の内容】
【００２４】
（６）請求項６記載の発明は、前記画像の特徴として、色分布、形状、周波数特性、文章領域の有無、またはコマ順番の少なくとも一つを用いる、ことを特徴とする請求項５記載の画像ファイリング方法である。
【手続補正８】
【補正対象書類名】明細書
【補正対象項目名】００２５
【補正方法】変更
【補正の内容】
【００２５】
また、請求項２４記載の発明は、前記概要画像生成手段は、色分布、形状、周波数特性、文章領域の有無、またはコマ順番の少なくとも一つを画像の特徴として参照する、ことを特徴とする請求項２３記載の画像ファイリング装置である。
【手続補正９】
【補正対象書類名】明細書
【補正対象項目名】００２７
【補正方法】変更
【補正の内容】
【００２７】
（７）請求項７記載の発明は、前記画像の選択に関し、肌色成分を多く含むものを少なくとも一つ優先する、ことを特徴とする請求項５記載の画像ファイリング方法である。
【手続補正１０】
【補正対象書類名】明細書
【補正対象項目名】００２８
【補正方法】変更
【補正の内容】
【００２８】
また、請求項２５記載の発明は、前記概要画像生成手段は、肌色成分を多く含むものを少なくとも一つ優先して前記画像の選択を行う、ことを特徴とする請求項２３記載の画像ファイリング装置である。
【手続補正１１】
【補正対象書類名】明細書
【補正対象項目名】００３０
【補正方法】変更
【補正の内容】
【００３０】
（８）請求項８記載の発明は、前記画像の選択に関し、彩度の高い色成分を多く含むものを少なくとも一つ優先する、ことを特徴とする請求項５記載の画像ファイリング方法である。
【手続補正１２】
【補正対象書類名】明細書
【補正対象項目名】００３１
【補正方法】変更
【補正の内容】
【００３１】
また、請求項２６記載の発明は、前記概要画像生成手段は、彩度の高い色成分を多く含むものを少なくとも一つ優先して前記画像の選択を行う、ことを特徴とする請求項２３記載の画像ファイリング装置である。
【手続補正１３】
【補正対象書類名】明細書
【補正対象項目名】００３３
【補正方法】変更
【補正の内容】
【００３３】
（９）請求項９記載の発明は、前記画像の選択に関し、文章領域を含むものを少なくとも一つ優先する、ことを特徴とする請求項３記載の画像ファイリング方法である。
【手続補正１４】
【補正対象書類名】明細書
【補正対象項目名】００３４
【補正方法】変更
【補正の内容】
【００３４】
また、請求項２７記載の発明は、前記概要画像生成手段は、文章領域を含むものを少なくとも一つ優先して前記画像の選択を行う、ことを特徴とする請求項２３記載の画像ファイリング装置である。
【手続補正１５】
【補正対象書類名】明細書
【補正対象項目名】００３６
【補正方法】変更
【補正の内容】
【００３６】
（１０）請求項１０記載の発明は、前記画像の選択に関し、画像の特性が類似するものをグループ化し、各グループ内から一つの画像を選択する、ことを特徴とする請求項５記載の画像ファイリング方法である。
【手続補正１６】
【補正対象書類名】明細書
【補正対象項目名】００３７
【補正方法】変更
【補正の内容】
【００３７】
また、請求項２８記載の発明は、前記概要画像生成手段は、画像の特性が類似するものをグループ化し、各グループ内から一つの画像を選択する、ことを特徴とする請求項２３記載の画像ファイリング装置である。
【手続補正１７】
【補正対象書類名】明細書
【補正対象項目名】００３９
【補正方法】変更
【補正の内容】
【００３９】
（１１）請求項１１記載の発明は、複数の画像データについて複数のフォルダに分けてファイリングを行う画像ファイリング方法であって、フォルダ内に含まれる画像データに付加された付加情報を参照し、フォルダ内に含まれる画像を代表する複数の画像を選択し、選択された画像を組み合わせた概要画像を生成し、この概要画像をファイリングまたは表示する、ことを特徴とする画像ファイリング方法である。
【手続補正１８】
【補正対象書類名】明細書
【補正対象項目名】００４０
【補正方法】変更
【補正の内容】
【００４０】
また、請求項２９記載の発明は、複数の画像データについて複数のフォルダに分けて記憶手段にファイリングを行う画像ファイリング装置であって、フォルダ内に含まれる画像データに付加された付加情報を参照し、フォルダ内に含まれる画像を代表する複数の画像を選択して組み合わせることにより概要画像を生成する概要画像生成手段と、前記概要画像の生成を制御する制御手段と、を備えたことを特徴とする画像ファイリング装置である。
さらに、請求項３０記載の発明は、前記概要画像を表示する表示手段を更に備えた、ことを特徴とする請求項２９記載の画像ファイリング装置である。
【手続補正１９】
【補正対象書類名】明細書
【補正対象項目名】００４５
【補正方法】変更
【補正の内容】
【００４５】
（１２）請求項１２記載の発明は、前記付加情報は画像の撮影日または撮影時刻である、ことを特徴とする請求項１１記載の画像ファイリング方法である。
また、請求項３１記載の発明は、前記概要画像生成手段は、画像の撮影日または撮影時刻を前記付加情報として参照する、ことを特徴とする請求項２９または請求項３０に記載の画像ファイリング装置である。
【手続補正２０】
【補正対象書類名】明細書
【補正対象項目名】００４７
【補正方法】変更
【補正の内容】
【００４７】
（１３）また、請求項１３記載の発明は、前記付加情報を参照した選択では、撮影日または撮影時刻が離れたものを優先する、ことを特徴とする請求項１２記載の画像ファイリング方法である。
【手続補正２１】
【補正対象書類名】明細書
【補正対象項目名】００４８
【補正方法】変更
【補正の内容】
【００４８】
また、請求項３２記載の発明は、前記概要画像生成手段は、撮影日または撮影時刻が離れたものを優先して前記画像の選択を行う、ことを特徴とする請求項３１記載の画像ファイリング装置である。
【手続補正２２】
【補正対象書類名】明細書
【補正対象項目名】００５０
【補正方法】変更
【補正の内容】
【００５０】
（１４）請求項１４記載の発明は、前記付加情報は撮影の際のシャッタ速度である、ことを特徴とする請求項１１記載の画像ファイリング方法である。
また、請求項３３記載の発明は、前記概要画像生成手段は、前記付加情報として撮影の際のシャッタ速度を参照して前記画像の選択を行う、ことを特徴とする請求項２９または請求項３０に記載の画像ファイリング装置である。
【手続補正２３】
【補正対象書類名】明細書
【補正対象項目名】００５２
【補正方法】変更
【補正の内容】
【００５２】
（１５）請求項１５記載の発明は、前記付加情報は位置情報である、ことを特徴とする請求項１１記載の画像ファイリング方法である。
また、請求項３４記載の発明は、前記概要画像生成手段は、前記付加情報として位置情報を参照して前記画像の選択を行う、ことを特徴とする請求項２９または請求項３０に記載の画像ファイリング装置である。
【手続補正２４】
【補正対象書類名】明細書
【補正対象項目名】００５４
【補正方法】変更
【補正の内容】
【００５４】
（１６）請求項１６記載の発明は、前記付加情報は、被写体までの距離である、ことを特徴とする請求項１１記載の画像ファイリング方法である。また、請求項３５記載の発明は、前記概要画像生成手段は、前記付加情報として被写体までの距離を参照して前記画像の選択を行う、ことを特徴とする請求項２９または請求項３０に記載の画像ファイリング装置である。
【手続補正２５】
【補正対象書類名】明細書
【補正対象項目名】００５６
【補正方法】変更
【補正の内容】
【００５６】
（１７）請求項１７記載の発明は、前記選択された画像をトリミングした後に組み合わせて概要画像を生成する、ことを特徴とする請求項１乃至請求項１６のいずれかに記載の画像ファイリング方法である。
【手続補正２６】
【補正対象書類名】明細書
【補正対象項目名】００５７
【補正方法】変更
【補正の内容】
【００５７】
また、請求項３６記載の発明は、前記概要画像生成手段は、前記選択された画像をトリミングした後に組み合わせて概要画像を生成する、ことを特徴とする請求項１４乃至請求項３５のいずれかに記載の画像ファイリング装置である。
【手続補正２７】
【補正対象書類名】明細書
【補正対象項目名】００６０
【補正方法】変更
【補正の内容】
【００６０】
（１８）請求項１８記載の発明は、フォルダ内の画像数に応じて、概要画像に含まれる画像の枚数を変える、ことを特徴とする請求項１乃至請求項１７のいずれかに記載の画像ファイリング方法である。
【手続補正２８】
【補正対象書類名】明細書
【補正対象項目名】００６１
【補正方法】変更
【補正の内容】
【００６１】
また、請求項３７記載の発明は、前記概要画像生成手段は、フォルダ内の画像数に応じて、概要画像に含まれる画像の枚数を変える、ことを特徴とする請求項１９乃至請求項３６のいずれかに記載の画像ファイリング装置である。